(57)【特許請求の範囲】
【請求項１】
四角状底面部１１の各辺に折目ｒを介して側壁１２、１３、１４、１５をそれぞれ設けた紙製収納容器Ｐにおいて、
一側壁１２上縁に折目ｒ1 を介してその側壁１２内面全幅に添う連結片２１を設け、この連結片２１の側縁にその上端から内側４５度傾斜の折目ｒ2 を介して連結片２１に添う起立縦補助片２２を設け、この起立縦補助片２２の側縁に折目ｒ3 を介して上記一側壁１２に対向する側壁１４まで至る仕切壁２３を設け、この仕切壁２３の下縁と前記連結片２１の下縁の間に前記底面部１１内面に添う起立横補助片２４をそれぞれ折目ｒ4 を介して設けたことを特徴とする収納容器。
【請求項２】
上記起立縦補助片２２と仕切壁２３と間の折目ｒ3 と上記４５度傾斜の折目ｒ2 の交点部は欠如２６されていることを特徴とする請求項１に記載の収納容器。
【請求項３】
上記起立横補助片２４は、上記一側壁１２に隣接する側壁１５内面に添う補助片２５に折目ｒを介して連結されていることを特徴とする請求項１又は２に記載の収納容器。
【発明の詳細な説明】
【０００１】
【発明の属する技術分野】
この発明は、内部に仕切壁を有する紙製組立て容器に関するものである。
【０００２】
【従来の技術】
チョコレートなどの菓子は、袋、容器に収納して販売されるが、価値観などの多様化に応じて、その収納形態には種々の工夫がなされている。その一つに、同一の菓子でも、色、形、風味などの異なるものを仕切りを設けて収納したり、また、菓子以外のもの、例えば、人気キャラクターの人形、おもちゃなどを同時に仕切りを設けて収納したりしている。
【０００３】
従来、この種の紙製組立て菓子容器にあっては、それらの仕切りとして、硬質プラスチック製の自己起立形仕切片を使用している。また、他の容器の仕切り構造として、特開平６−１５６４８０号公報に、一の容器内に、仕切用の補助容器を側壁に連設して形成したものが開示され、特開昭５９−１２６９２４号公報には、蓋の側縁に仕切壁を連結したものが開示されている。
【０００４】
【発明が解決しようとする課題】
自己起立形仕切りは別部品となって、コストアップとなる。また、上記前者の公報記載の仕切り付き収納容器は、補助容器でもって仕切りを形成しており、カートンブランクが大きくなり、そのカット時の無駄部分が多いうえに補助容器も組立てなければならないので、その自動製函機が複雑化する。
【０００５】
後者の公報記載の仕切り付き収納容器は、蓋を開けると、仕切りがなくなり、チョコレートなどの混合し易い菓子類では好ましいものではない。
【０００６】
この発明は、蓋を開けても仕切りがなくならず、かつブランクのカット時の無駄も少なく、自動組立てが容易なものとすることを課題とする。
【０００７】
【課題を解決するための手段】
上記課題を達成するためにこの発明は、仕切壁は一側壁からその対向する側壁に至る一片の仕切りで構成することとしたのである。一片の仕切りであれば、小さな紙片でよいからである。
【０００８】
つぎに、その仕切壁の定位置の起立状態を維持するため、上記一側壁上縁からその内面に添う連結片を設け、この連結片に縦横の起立維持用補助片を介してその仕切壁を連設したのである。その起立横維持片は、連結片下縁と仕切壁下縁間に設けて、仕切壁の容器底面上の動きを阻止する。起立縦補助片は、連結片の側縁にその上縁から内側４５度傾斜の折目を介して連設され、その連結片に添うことにより、仕切壁の起立状態を維持する。
【０００９】
【発明の実施の形態】
この発明の実施形態としては、四角状底面部の各辺に折目を介して側壁をそれぞれ設けた紙製収納容器において、一側壁上縁に折目を介してその側壁内面全幅に添う連結片を設け、この連結片の側縁にその上端から内側４５度傾斜の折目を介して連結片に添う起立縦補助片を設け、この起立縦補助片の側縁に折目を介して前記一側壁に対向する側壁まで至る仕切壁を設け、この仕切壁の下縁と前記連結片の下縁の間に前記底面部内面に添う起立横補助片をそれぞれ折目を介して設けた構成を採用し得る。
【００１０】
この構成において、上記起立縦補助片と仕切壁と間の折目と上記４５度傾斜の折目の交点部は欠如されているものとし得る。その欠如部の存在により、仕切壁の起立時、折目間の干渉がなくなり、その起立が円滑に行われる。すなわち、組立てがスムースに行われる。
【００１１】
また、上記起立横補助片は、上記一側壁に隣接する側壁内面に添う補助片に折目を介して連結されているものとすることができ、その補助片により、仕切壁の底面上の動きがより規制されて安定する。その補助片、連結片は適宜に側壁に貼着することができ、また、起立縦補助片は連結片に、起立横補助片は底面部にそれぞれ適宜に貼着することができる。
【００１２】
【実施例】
一実施例を図１乃至図４に示し、この実施例は、容器Ｐ内を二分割し、一方に、チョコレートなどの菓子、他方におもちゃなどのおまけを収納するものである。この容器Ｐは、四角状底面部１１の各片に折目ｒを介して側壁１２、１３、１４、１５が設けられ、それらは、前後の側壁１２、１４の舌片１２ａ、１４ａを左右の側壁１３、１５の切込み１３ａ、１５ａに挿入することにより連結される（図２参照）。後側の側壁１４には蓋１６が折目ｒを介して設けられ、この周囲３辺には側壁１２、１３、１５に添う舌片１７ａ、１７ｂ、１７ｂが折目ｒを介して設けられている。この両側舌片１７ｂ、１７ｂは側壁１３、１５に貼着され、前側となる舌片１７ａは、切目ａで囲まれた部分以外（中央及び両側）が側壁１２に貼着される（図１参照）。このため、その切目ａでもって、図１鎖線のように、その囲まれた部分を切り上げると、容器Ｐ内が開放される。その開放部分は、後述の仕切り部分に対応しており、切り離し後は、その切り離し部の舌片１８を前側の側壁１２の切目ａに挿入することにより、被覆状態を維持する。
【００１３】
前側の側壁１２の上縁一側に折目ｒ1 を介してその側壁１２内面全幅に添う連結片２１が設けられ、この連結片２１にその側縁から内側４５度傾斜の折目ｒ2 を介して連結片２１に添う起立縦補助片２２が設けられている。起立縦補助片２２の側縁には前記折目ｒ1 と平行な折目ｒ3 を介して仕切片（壁）２３が後側の側壁１４に至る長さで設けられ、この仕切片２３と連結片２１の下縁間には折目ｒ4 を介して起立横補助片２４が設けられている。この起立横補助片２４には折目ｒを介して左側壁１５に添う補助片２５が設けられている。また、連結片２１、起立縦横補助片２２、２４及び仕切片２３の相互間の折目ｒ2 、ｒ3 、ｒ4 の交点部には円孔２６が形成されている。
【００１４】
この実施例の展開図は図３のとおりであり、そのブランクを、まず、同図二点鎖線のごとく、仕切片２３などを折目ｒ1 を介して側壁１２および底面部１１に添わせる。このとき、連結片２１、起立横補助片２４及び補助片２５は底面部１１及び側壁１２、１５に適宜に貼着する。
【００１５】
この状態で、製函機に送り込まれ、図４（ａ）に示すように、各側壁１２、１３、１５が起立され、つづいて、同図鎖線のごとく、仕切片２３が起立される。すると、起立縦補助片２２の折目ｒ2 は山折り、折目ｒ3 は谷折りとなり、その折目ｒ2 が４５度傾斜であり、折目ｒ3 が底面部１１に直交方向となるため、仕切片２３は底面部１１に対し真直ぐに起立して仕切壁を形成する（図４（ｂ）参照）。このとき、折目ｒ3 部分の図４（ａ）における実線状態から鎖線状態の反転は、起立縦補助片２２、仕切片２３をなす紙の弾性撓みで行われる。また、円孔２６によって、この反転時の各片間の干渉が和らげられてその作用がスムースになされる。起立縦補助片２２は連結片２１に貼着することができる。この後、後側の側壁１４を起立させる（図２参照）。この側壁１４の起立は、他の側壁１２、１３、１５と同時でもよい。
【００１６】
この状態で、この容器Ｐ内に、仕切壁２３で隔てて菓子及びおもちゃなどを収納し、図１に示すように、蓋１６を被せてその舌片１７ａ、１７ｂを側壁１２、１３、１５に貼着する。
【００１７】
この実施例は、容器Ｐ内を２分割にする場合であったが、図５、６に示すように、連結片２１、仕切壁２３などの構成を、並列に（図５）、他の側壁に（図６）などと適宜に設けることにより、種々の態様の三分割を得ることができ、また、その並列の数、他の側壁に形成する数及び位置を適宜に選択することにより、種々の分割態様の容器Ｐを得ることができる。また、連結片２１、起立横補助片２４は、図３一点鎖線のごとく、部分的でもよい。この場合は、それらは側壁１２及び底面部１１に貼着することが好ましい。
【００１８】
【発明の効果】
この発明は、以上のように、仕切壁を一片の仕切りで構成し、その仕切りの定位置起立状態を起立縦横補助片で維持するようにしたので、展開状態のブランクも小型化でき、また、組立ても容易なものとし得る。
【図面の簡単な説明】
【図１】一実施例の斜視図
【図２】同実施例の蓋開放状態の斜視図
【図３】同実施例の展開図
【図４（ａ）】同実施例の組立て説明図
【図４（ｂ）】同実施例の組立て説明図
【図５】他の実施例の要部斜視図
【図６】他の実施例の要部斜視図
【符号の説明】
Ｐ  収納容器
１１  底面部
１２  前側壁
１３  右側壁
１４  後側壁
１５  左側壁
１６  蓋
２１  連結片
２２  起立縦補助片
２３  仕切片（仕切壁）
２４  起立横補助片
２５  補助片
２６  円孔（欠如部）
ａ  切目
ｒ、ｒ1 、ｒ2 、ｒ3 、ｒ4   折目
【図１】
0004656736.tif 000002
【図２】
0004656736.tif 000003
【図３】
0004656736.tif 000004
【図４（ａ）】
0004656736.tif 000005
【図４（ｂ）】
0004656736.tif 000006
【図５】
0004656736.tif 000007
【図６】
0004656736.tif 000008